(57)【要約】      （修正有）【課題】縫合糸パッケージが、縫合装置への針と縫合糸との組み合わせの繰り返しの装填を容易にすること。【解決手段】近位端を備える本体部分１０２；本体部分内に配置された固定構造体であって、固定構造体は、１本の縫合糸を解放可能に固定するように構成および適合されている、固定構造体；本体部分の該近位端における開口部１０６であって、開口部は、開口部を通して該１本の縫合糸Ｓを受容するように構成および適合されている、開口部；ならびに本体部分の近位端またはその近くに配置されたハブ５２であって、ハブは、ハブ上に縫合糸装填機構を受容するように構成および適合されている、ハブ、を備える、縫合糸装填パッケージ２００。【選択図】図２
2011177516.tif 000002
【特許請求の範囲】
【請求項１】
近位端を備える本体部分；
該本体部分内に配置された固定構造体であって、該固定構造体は、１本の縫合糸を解放可能に固定するように構成および適合されている、固定構造体；
該本体部分の該近位端における開口部であって、該開口部は、該開口部を通して該１本の縫合糸を受容するように構成および適合されている、開口部；ならびに
該本体部分の該近位端またはその近くに配置されたハブであって、該ハブは、該ハブ上に縫合糸装填機構を受容するように構成および適合されている、ハブ、
を備える、縫合糸装填パッケージ。
【請求項２】
前記固定構造体が１つ以上の突出部である、請求項１に記載の縫合糸装填パッケージ。
【請求項３】
前記１つ以上の突出部が、該突出部の周りに前記１本の縫合糸のループ状部分を受容するように適合および構成されている、請求項２に記載の縫合糸装填パッケージ。
【請求項４】
複数の突出部が通路を規定し、該通路の周りに前記１本の縫合糸が巻かれ得る、請求項２に記載の縫合糸装填パッケージ。
【請求項５】
ポストをさらに備え、該ポストは、該ポスト内に前記１本の縫合糸を解放可能に摩擦により固定するように構成および適合されている、請求項１に記載の縫合糸装填パッケージ。
【請求項６】
前記１本の縫合糸が針に作動可能に結合している、請求項１に記載の縫合糸装填パッケージ。
【請求項７】
前記本体部分が人間工学的な形状にされている、請求項２に記載の縫合糸装填パッケージ。
【請求項８】
前記本体部分が細長い、請求項１に記載の縫合糸装填パッケージ。
【請求項９】
前記１本の縫合糸がループ状部分を備える、請求項１に記載の縫合糸装填パッケージ。
【請求項１０】
プロングをさらに備え、前記ループ状部分が該プロングによって受容可能である、請求項９に記載の縫合糸装填パッケージ。
【請求項１１】
前記固定構造体が案内輪郭であり、該案内輪郭は、該案内輪郭に沿った前記１本の縫合糸の前進を容易にするような形状にされている、請求項１に記載の縫合糸装填パッケージ。
【請求項１２】
突出部のセットをさらに備え、該突出部のセットは、前記１本の縫合糸を前記本体部分の前記近位端に導くような配置で配置されている、請求項１に記載の縫合糸装填パッケージ。
【発明の詳細な説明】
【技術分野】
【０００１】
（関連出願の引用）
本願は、２０１０年３月２日に出願された米国仮出願番号６１／３０９，５６８の利益および優先権を主張する。この米国仮出願の開示は、その全体が本明細書中に参考として援用される。
【０００２】
（技術分野）
本開示は、１本以上の縫合糸を格納するためのパッケージに関する。より特定すると、このパッケージは、１本以上の縫合糸を格納するように、そしてこれらの縫合糸の各々を縫合糸装填機構に移動させるように構成および適合される。
【背景技術】
【０００３】
（関連技術の背景）
多くの外科手術手順は、組織を通しての縫合糸の配置を包含する。この目的で、外科手術手順中に使用するために、縫合針および付随する縫合糸を保持するための種々の縫合糸パッケージが、開発されている。
【発明の概要】
【発明が解決しようとする課題】
【０００４】
複数の縫合糸を１つの組織セクションに配置することが、しばしば有利である。従って、縫合糸パッケージが、縫合装置への針と縫合糸との組み合わせの繰り返しの装填を容易にすることが望ましい。
【課題を解決するための手段】
【０００５】
上記課題を解決するために、本発明は、例えば、以下を提供する：
（項目１）
近位端を備える本体部分；
該本体部分内に配置された固定構造体であって、該固定構造体は、１本の縫合糸を解放可能に固定するように構成および適合されている、固定構造体；
該本体部分の該近位端における開口部であって、該開口部は、該開口部を通して該１本の縫合糸を受容するように構成および適合されている、開口部；ならびに
該本体部分の該近位端またはその近くに配置されたハブであって、該ハブは、該ハブ上に縫合糸装填機構を受容するように構成および適合されている、ハブ、
を備える、縫合糸装填パッケージ。
（項目２）
上記固定構造体が１つ以上の突出部である、上記項目に記載の縫合糸装填パッケージ。
（項目３）
上記１つ以上の突出部が、該突出部の周りに上記１本の縫合糸のループ状部分を受容するように適合および構成されている、上記項目のうちのいずれかに記載の縫合糸装填パッケージ。
（項目４）
複数の突出部が通路を規定し、該通路の周りに上記１本の縫合糸が巻かれ得る、上記項目のうちのいずれかに記載の縫合糸装填パッケージ。
（項目５）
ポストをさらに備え、該ポストは、該ポスト内に上記１本の縫合糸を解放可能に摩擦により固定するように構成および適合されている、上記項目のうちのいずれかに記載の縫合糸装填パッケージ。
（項目６）
上記１本の縫合糸が針に作動可能に結合している、上記項目のうちのいずれかに記載の縫合糸装填パッケージ。
（項目７）
上記本体部分が人間工学的な形状にされている、上記項目のうちのいずれかに記載の縫合糸装填パッケージ。
（項目８）
上記本体部分が細長い、上記項目のうちのいずれかに記載の縫合糸装填パッケージ。
（項目９）
上記１本の縫合糸がループ状部分を備える、上記項目のうちのいずれかに記載の縫合糸装填パッケージ。
（項目１０）
プロングをさらに備え、上記ループ状部分が該プロングによって受容可能である、上記項目のうちのいずれかに記載の縫合糸装填パッケージ。
（項目１１）
上記固定構造体が案内輪郭であり、該案内輪郭は、該案内輪郭に沿った上記１本の縫合糸の前進を容易にするような形状にされている、上記項目のうちのいずれかに記載の縫合糸装填パッケージ。
（項目１２）
突出部のセットをさらに備え、該突出部のセットは、上記１本の縫合糸を上記本体部分の上記近位端に導くような配置で配置されている、上記項目のうちのいずれかに記載の縫合糸装填パッケージ。
【０００６】
（摘要）
縫合糸装填パッケージは、本体部分を備え、この本体部分は、１本以上の縫合糸のための固定構造体を備え、その結果、この１本以上の縫合糸が使用前に格納され得る。この縫合糸装填パッケージは、これらの縫合糸の各々を縫合糸装填機構に移動させることを容易にするように構成および適合される。
【０００７】
（要旨）
本開示は、縫合糸装填パッケージを開示し、この縫合糸装填パッケージは、本体部分、およびこの本体部分内に配置された固定構造体を備え、この固定構造体は、１本の縫合糸をこの本体部分内に解放可能に固定するように適合および構成されている。この本体部分の近位端における開口部は、この開口部を通してこの１本の縫合糸を受容するように適合および構成されている。ハブが、この本体部分の近位端またはその近くに配置され得、このハブは、縫合糸装填機構をこのハブ上に受容するように構成および適合される。この固定構造体は、１つ以上の突出部を備え得る。これらの１つ以上の突出部は、通路を規定し得、この通路の周りに、１本の縫合糸が配置され得る。あるいは、またはさらに、これらの突出部の各々は、縫合糸のループ状部分をこの突出部の周りに配置することを容易にすることによって、この突出部にこの縫合糸を解放可能に固定し得る。１つ以上のポストが、このポストの内部に縫合糸を解放可能に摩擦により固定するように構成および適合され得る。例えば、このポストは、このポストを通るチャネルを備えて、１本の縫合糸をこのチャネルの内部に、またはこのチャネルを通して受容し得る。
【０００８】
本開示のこれらおよび他の特徴は、添付の図面を参照しながらより完全に記載される。
【０００９】
説明のみによって、本開示の実施形態は、添付の図面を参照しながら記載される。
【発明の効果】
【００１０】
本発明による縫合糸パッケージは、縫合装置への針と縫合糸との組み合わせの繰り返しの装填を容易にする。
【図面の簡単な説明】
【００１１】
【図１】図１は、本開示に従う縫合糸装填パッケージの斜視図である。
【図２】図２は、本開示に従う縫合糸装填パッケージの別の実施形態の斜視図であり、縫合針装填機構と一緒に示される。
【図３】図３は、本開示に従う縫合糸装填パッケージのさらなる実施形態の斜視図である。
【図４】図４は、本開示に従う縫合糸装填パッケージのなおさらなる実施形態の斜視図である。
【図５】図５は、本開示に従う縫合糸装填パッケージの別の実施形態の斜視図である。
【図６】図６は、かがりデバイスの斜視図である。
【発明を実施するための形態】
【００１２】
本開示の特定の実施形態が、添付の図面を参照しながら本明細書中に記載される。図面および以下の説明において、同じ参照番号は類似の要素または同一の要素を確認する役に立ち、用語「近位」とは、装置の使用中に操作者に最も近い端部をいい、一方で、用語「遠位」とは、使用中に操作者から最も遠い端部をいう。
【００１３】
ここで図１〜図５を参照すると、１本以上の縫合糸を格納するように、そしてこれらの縫合糸の各々を縫合糸装填機構に移動させるように構成および適合された、縫合糸装填パッケージの実施形態が、ここで記載される。特定の実施形態において、棘付き縫合糸が使用され得る。適切な棘付き縫合糸としては、米国特許出願番号１２／３６１，９６２（２００９年１月２９日に出願され、その内容はその全体が本明細書中に参考として援用される）により開示されるものが挙げられる。
【００１４】
縫合糸装填パッケージ１００が、ここで図１を参照しながら記載される。縫合糸装填パッケージ１００は一般に、本体部分１０２を備える。本体部分１０２は、使用者による縫合糸装填パッケージの把持を容易にするために、人間工学的な形状にされ得る。本体部分１０２の形状は、球根状、円形、または弓形の形状（例えば、図１に示される形状）であり得るが、これらに限定されない。丸い形状の本体部分１０２の利点としては、この本体部分に格納される縫合糸にくせが付きにくいことが挙げられる。
【００１５】
本体部分１０２の近位端１０７またはその近くに、開口部１０６が配置され、この開口部は、この開口部を通して１本の縫合糸Ｓ（図２）を受容するように構成および適合される。縫合糸Ｓの各々は、第一の端部においてエンドエフェクタ（例えば、ループ状部分１）を備え得、そして第二の端部において針１２に付随し得る。ハブ５２が、近位端１０７またはその近くに位置し、このハブは、このハブ上に縫合針装填機構５０（図２）を受容するように構成および適合される。縫合針装填機構５０は、所望の外科手術用装置のエンドエフェクタが針１２を受容し得るようにこのエンドエフェクタの受容を容易にすることによって、縫合糸Ｓの第二の端部に位置する針１２を所望の外科手術用装置に装填することを容易にする。
【００１６】
適切な外科手術用装置の例は、米国特許出願番号１２／４８２，０４９（２００９年６月１０日に出願され、その全内容は、本明細書中に参考として援用される）に開示されている。具体的には、米国特許出願番号１２／４８２，０４９は、図６に示されるようなかがりデバイス６００を開示する。かがりデバイス６００は、エンドエフェクタ６５０を備え、このエンドエフェクタは、ハンドルアセンブリ６１０および／またはハンドルアセンブリ６１０から遠位に延びる細長い管状本体部分６４０の遠位端に支持可能であるか、またはそこから延びる。このエンドエフェクタは、ハンドルアセンブリ６１０から延びるシャフト６４０の遠位端に支持された、ネック部分６５２を備える。エンドエフェクタ６５０は、顎６５４、６５６をさらに備え、これらの顎は、それぞれの針受容開口部６５４（ａ）、６５６（ａ）を備える。ハンドルアセンブリ６１０は、ハウジング６１４内に回転可能に支持された、先端回転アセンブリ６１８および関節運動アセンブリ６３０をさらに備える。ハンドルアセンブリ６１０は、このハンドルアセンブリ上に支持された針装填／保持アセンブリ６２０をさらに備える。ハンドルアセンブリ６１０は、ハウジング６１４に旋回可能に固定されてこのハウジングから外向きに延びる、１対のハンドル６１２をさらに備える。
【００１７】
縫合糸装填パッケージ１００は、固定構造体を備え、この固定構造体は、１つ以上の突出部１０４を備え得、これらの突出部は、１本の縫合糸Ｓを使用前に解放可能に固定することを容易にするように構成および適合される。例えば、縫合糸Ｓのループ状部分１が、各突出部１０４の周りに固定され得るか、または縫合糸Ｓが、突出部１０４のうちの１つ以上の周りに巻かれ得る。縫合糸Ｓは、この縫合糸Ｓを突出部１０４から解放し、そして針１２を縫合針装填機構５０内に装填することによって、使用のために準備される。さらに、これらの突出部は、複数の棘付き縫合糸Ｓを離して維持し、そしてこれらの棘付き縫合糸Ｓの絡まりを最少にすることを補助する。突出部１０４は、互いから間隔を空けられ得る。突出部１０４の間隔を空けることによって、突出部１０４と縫合糸Ｓとの間の摩擦相互作用が低下し得る。さらに、突出部１０４の各々が、縫合糸Ｓのための突出部１０４の配置により規定される経路に対応する、異なる形状（例えば、弓形または角ばった形状）を有し得る。さらに、縫合糸Ｓと突出部１０４との間の摩擦係数は、異なる材料を選択することによって、選択され得る。摩擦係数に依存して、縫合糸Ｓを突出部１０４に通してスライドさせるために必要な力が決定され得る。
【００１８】
縫合糸Ｓを本体部分１０２内に解放可能に固定するための代替の構造体は、ポスト１０８（図２）を備える。例えば、図２に示される縫合糸装填パッケージ２００は、縫合糸装填パッケージ１００と実質的に同一であるが、縫合糸装填パッケージ１００とは異なり、縫合糸装填パッケージ２００は、１つ以上のポスト１０８を備える。ポスト１０８は、１本の縫合糸Ｓをこのポスト内に解放可能に摩擦により固定するように構成および適合される。図２に示されるように、各ポスト１０８はチャネルを規定し、このチャネルは、このチャネルを通して縫合糸Ｓを受容するように構成および適合される。このチャネルの寸法は、縫合糸Ｓのループ状部分１がポスト１０８により規定されるチャネルを通って並進することを防止し得る。
【００１９】
別の実施形態において、縫合糸装填パッケージ３００は一般に、本体部分３０２を備える。本体部分３０２は、人間工学的な形状にされ得る。図３に示されるように、本体部分３０２は、細長い形状を有し、この形状は、使用者による縫合糸装填パッケージ３００の把持を容易にする。固定構造体は、本体部分３０２内に配置された１つ以上の案内輪郭３０４を備え得る。案内輪郭３０４は、１本以上の縫合糸Ｓを使用の準備ができるまで解放可能に固定するように構成および適合される。縫合糸Ｓの端部を引くと、案内輪郭３０４の構成は、縫合糸Ｓの前進を容易にし、同時に、縫合糸Ｓの前進を妨害し得る絡まりまたはボトルネック効果を最少にするような形状にされる。本体部分３０２の近位端３０７またはその近くの開口部３０６は、この開口部を通して縫合糸Ｓを受容するように適合および構成される。ハブ５２が、本体部分３０２の近位端３０７またはその近くに配置され、その結果、縫合糸装填機構５０がこのハブ上に配置され得る。
【００２０】
図３に示されるように、案内輪郭３０４は、連続的な１本の材料であり得、この材料は、本体部分３０２内の表面から延びるかまたは突出する。案内輪郭３０４と縫合糸Ｓとの間の摩擦係合の程度は、様々な摩擦係数を有する材料を選択することによって、決定され得る。使用中に、縫合糸Ｓを案内輪郭３０４に通して案内するために充分な力が、縫合糸Ｓに付与される。
【００２１】
縫合糸装填パッケージ４００が、ここで図４を参照しながら記載される。縫合糸装填パッケージ４００は、図３に関連して上に記載された縫合糸装填パッケージ３００と実質的に類似である。案内輪郭３０４を利用して縫合糸Ｓを使用前に格納し、そして縫合糸Ｓの展開中にこの縫合糸Ｓを案内する代わりに、この縫合糸装填パッケージ４００は、１つ以上の突出部またはプロング４０４を備える固定構造体を利用する。プロング４０４は、図４に示されるような、円柱形の突出部であり得る。縫合糸のループ状部分１が、１つのプロング４０４の周りに配置され得るか、またはこの縫合糸が、プロング４０４のうちの１つ以上の周りに巻かれ得る。複数のプロング４０４は、図３に関連して上に記載された縫合糸装填パッケージ３００の案内輪郭３０４により規定される経路と等価な経路を規定し得る。案内輪郭の代わりにプロング４０４を使用することにより、使用者に、縫合糸Ｓのループ状部分１を１つのプロング４０４の周りに配置するか、あるいはまたはさらに、１本の縫合糸Ｓをプロング４０４のうちの１つ以上の周りに巻くかの選択肢が与えられ得る。チャネル４０６が、本体部分４０２の近位端４０７またはその近くに配置される。図４に示されるように、チャネル４０６は、弓形の凹部であり得、本体部分４０２の近位端４０７への縫合糸Ｓの案内を容易にする。縫合糸装填パッケージ１００、２００、および３００に関して上に記載されたように、縫合糸装填パッケージ４００は、本体部分４０２の近位端４０７またはその近くに配置されたハブ５２を備える。ハブ５２は、このハブ上に縫合糸装填機構５０を受容するように適合および構成される。
【００２２】
なお別の実施形態において、縫合糸装填パッケージ５００が、ここで図５を参照しながら記載される。縫合糸装填パッケージ５００は一般に、本体部分５０２および固定構造体を備え、この固定構造体は、この固定構造体内に配置された１つ以上の突出部５０４、５０５を備える。本体部分５０２は、図５に示されるように、丸い形状または球根状の形状を有し得、本体部分５０２の把持を容易にする。突出部５０４、５０５は、図５に示されるように、丸みを帯びた縁部を有するほぼ矩形または楕円の形状を有し得るが、このような形状に限定されない。本体部分５０２の形状は、突出部のセット（すなわち突出部５０４）により規定される経路の形状にほぼ近似して、本体部分５０２のサイズを最小にし得る。図５に示されるように、突出部の第一のセット５０４は、弓形または円形の輪郭を規定するような群にされ、そして突出部の第二のセット５０５は、１本以上の縫合糸Ｓを縫合糸装填パッケージ５００の近位端５０７に向けて導くような群にされる。突出部の第二のセット５０５は、互いに対して実質的に平行に配置されて、縫合糸Ｓの受容のためのチャネルをこれらの突出部間に規定し得る。縫合糸装填パッケージ１００、２００、３００、および４００に関して上に記載されたように、突出部５０４、５０５は、縫合糸Ｓのループ状部分１を使用の準備ができるまでこれらの突出部の周りに配置するために利用され得るか、または縫合糸Ｓを巻くための経路を提供するために使用され得る。さらに、縫合糸装填パッケージ１００、２００、３００、および４００に関して上に記載されたように、縫合糸装填パッケージ５００は、縫合糸装填機構５０を受容するように構成および適合されたハブ５２を備える。
【００２３】
各縫合糸装填パッケージ１００〜５００は、１本以上の縫合糸Ｓを格納するように構成および適合される。縫合糸Ｓの使用の準備ができると、使用者は、取り付け構造体が、周りに縫合糸Ｓのループ状部分１が配置されるかまたは周りに縫合糸Ｓが巻かれる突出物（例えば、突出部１０４、３０４、５０２またはプロング４０４）であろうと、取り付け構造体が図２に示されるようなポスト１０８であろうと、この縫合糸Ｓを取り付け構造体から手で解放し得る。縫合糸Ｓを取り付け構造体から解放する際に、この縫合糸Ｓの針１２が縫合糸装填機構５０に装填されて、適切な外科手術用装置（例えば、かがりデバイス６００（図６））への縫合糸Ｓの引き続く装填を容易にし得る。
【００２４】
縫合糸装填機構５０は、図２に示されるように、針１２を針保持部材５１内に摩擦により保持するように構成および適合される。上記のように、針１２は、外科手術用装置（例えば、かがりデバイス６００）に装填され得る。針保持部材５１は、針１２の外科手術用縫合装置１０への装填を容易にする。針１２が針保持部材５１内に維持されている状態で、針１２の装填は、針１２をそれぞれの顎６５４、６５６の選択された針受容開口部６５４（ａ）、６５６（ａ）と整列させてこれらの針受容開口部内に配置することによって、達成される。このプロセスは、縫合糸と針との組み合わせが外科手術用縫合装置１０に装填されるごとに繰り返される。
【００２５】
形式および細部における種々の改変および変更が、本開示の範囲および趣旨から逸脱することなく本開示に対してなされ得ることが、当業者に理解される。従って、上記説明は、限定であると解釈されるべきではなく、単に、特定の実施形態の例示であると解釈されるべきである。本開示の数個の実施形態が図面に示されたが、本開示がこれらの実施形態に限定されることは意図されない。むしろ、本開示は、当該分野が許容すると同程度まで範囲が広いと読まれることが意図される。
【符号の説明】
【００２６】
１  ループ状部分
１２  針
５０  縫合針装填機構
５２  ハブ
１００  縫合糸装填パッケージ
１０２  本体部分
１０６  開口部
１０７  近位端
Ｓ  縫合糸
【図１】
2011177516.tif 000003
【図２】
2011177516.tif 000004
【図３】
2011177516.tif 000005
【図４】
2011177516.tif 000006
【図５】
2011177516.tif 000007
【図６】
2011177516.tif 000008